(57)【要約】【課題】ドクターの立位での歯科治療を容易にするとともに患者の治療椅子への乗降を容易にする。【解決手段】固定基台部４０から上方に延長し上端に第１のピストン５２を有する第１のピストン軸５１と、前記第１のピストン５２に液密に係合して上下動する第１のシリンダ５３と、座部１３から下方に延長し下端に第２のピストン６２を有する第２のピストン軸６１と、前記第２のピストン６２に液密に係合して上下動する第２のシリンダ６３とを有する。第１のシリンダと第２のシリンダとは並列にかつ一体的に連結されてなり、第１のシリンダ及び第２のシリンダ内に供給する液体の量を調整することにより、第１及び第２のシリンダを上下動することにより、座部１３の高さ位置を調整可能とした。【選択図】図１
2008295788.tif 000002
【特許請求の範囲】
【請求項１】
固定基台部から上方に延長し上端に第１のピストンを有する第１のピストン軸と、前記第１のピストンに液密に係合して上下動する第１のシリンダと、座部から下方に延長し下端に第２のピストンを有する第２のピストン軸と、前記第２のピストンに液密に係合して上下動する第２のシリンダとを有し、前記第１のシリンダと第２のシリンダとは並列にかつ一体的に連結されてなり、前記第１のシリンダ及び第２のシリンダ内に供給する液体の量を調整することにより、前記第１及び第２のシリンダを上下動することにより、前記座部の高さ位置を調整可能としたことを特徴とする高さ調整可能な椅子。
【請求項２】
前記第１のシリンダと第２のシリンダは略同一の長さを有しかつ略同一の移動ストロークを有することを特徴とする請求項１に記載の高さ調整可能な椅子。
【請求項３】
前記第１のシリンダ及び第２のシリンダへ液体を供給するそれぞれの流路中に三方弁を有し、前記第１のシリンダと第２のシリンダを同時に又は個別に上下動可能としたことを特徴とする請求項１又は２に記載の高さ調整可能な椅子。
【発明の詳細な説明】
【技術分野】
【０００１】
本発明は、座部の高さを調整できるようにした椅子、より詳細には、２本のピストン・シリンダを効果的に組み合わせて使用することにより、座部の高さを、シリンダ長１本分の低位置からシリンダ長２本分の高位置まで長ストロークに亘って調整可能にした歯科用治療椅子に関する。
【背景技術】
【０００２】
図３は、従来の歯科治療椅子の一例を説明するための要部概略斜視図で、該歯科治療椅子は、周知のように、安頭台１１，バックレスト１２，コンターシート（座部）１３，レッグレスト１４，レッグレスト１５等からなり、バックレスト１２がコンターシート１３に対して起倒可能な着座部１０と、該着座部１０を搭載し、該着座部１０を上下動及び傾斜動させる移動基台部２０と、該移動基台部２０を移動可能に支持する固定基台部３０と、該固定基台部３０を載置するベース部材４０とより成っている。
【０００３】
歯科治療にあたり、患者は座部１３に座り、頭を安頭台１１に固定して治療を受ける。歯科治療時、術者（ドクター）は着座部１０を上下動、起倒、傾斜動等させて、患者を治療しやすい姿勢にして治療を行う。例えば、歯牙の咬合調整を行うときなど、患者を座らせた状態で、ドクターは立位で患者の口腔位置を直視して歯科治療を行うが、このようなときは、患者の口腔位置を見やすくするため座部１３の位置を出来るだけ高い位置に持っていきたい。また、患者の乗り降りのためには最低位置をできるだけ低くしたい。
【０００４】
上述のように、上昇・下降機能の付いた歯科治療椅子において、椅子（座部）の最低位と最高位間のストロークの関係が問題になっている。上昇・下降の機能は電気モーターを動力とする方法と、油圧を動力とする方法がある。油圧を動力とする方法では電気モーターを動力とする場合と比べて、（１）下降時の音が静かである、（２）動作が滑らかである、（３）電気回路が簡単である、などのメリットがある。しかし、油圧シリンダを垂直に取り付けたとき、ストロークを長く取ろうとすると、シリンダの全長が長くなってしまい、椅子の最低位が高くなってしまう。一方、最低位を下げようとするとシリンダの全長が短くなってしまい、ストロークが短くなってしまう。
【発明の開示】
【発明が解決しようとする課題】
【０００５】
本発明は、上述のごとき実情に鑑みてなされたもので、歯科治療椅子における座部の上下動を２本のピストン・シリンダを効果的に作動させて全体としての上下動ストロークを大きくして座部の上昇位置をより高くしかつ下降位置をより低くすることを可能として、もって、昇降装置を大型化することなく、ドクターの立位での歯科治療を容易にするとともに患者の治療椅子への乗降を容易にすることを目的としてなされたものである。
【課題を解決するための手段】
【０００６】
上記課題を解決するために、請求項１の発明は、固定基台部から上方に延長し上端に第１のピストンを有する第１のピストン軸と、前記第１のピストンに液密に係合して上下動する第１のシリンダと、座部から下方に延長し下端に第２のピストンを有する第２のピストン軸と、前記第２のピストンに液密に係合して上下動する第２のシリンダとを有し、前記第１のシリンダと第２のシリンダとは並列にかつ一体的に連結されてなり、前記第１のシリンダ及び第２のシリンダ内に供給する液体の量を調整することにより、前記第１及び第２のシリンダを上下動することにより、前記座部の高さ位置を調整可能としたことを特徴としたものである。
【０００７】
請求項２の発明は、請求項１の発明において、前記第１のシリンダと第２のシリンダは略同一の長さを有しかつ略同一の移動ストロークを有することを特徴としたものである。
【０００８】
請求項３の発明は、請求項１又は２の発明において、前記第１のシリンダ及び第２のシリンダへ液体を供給するそれぞれの流路中に三方弁を有し、前記第１のシリンダと第２のシリンダを同時に又は個別に上下動可能としたことを特徴としたものである。
【発明の効果】
【０００９】
患者が治療椅子に乗降する際の座部位置をより低くすることを可能としたので、患者の治療椅子への乗降がより容易になり、かつ、ドクターが立位で治療を行う時の座部位置（患者の口腔位置）をより高くすることを可能としたので、ドクターはより容易に（より楽な姿勢で）治療を行うことができる。
【００１０】
歯科治療椅子における座部の上下動を２本のピストン・シリンダを効果的に作動させて全体としての上下動ストロークを大きくしたので、昇降装置を大型化することなく、ドクターの立位での歯科治療を容易にするとともに患者の治療椅子への乗降を容易にすることができるようになった。
【発明を実施するための最良の形態】
【００１１】
図１は、本発明による治療椅子の昇降動作を説明するための要部構成図で、図１（Ａ）は治療椅子の座部１３を最高位置に上昇させた時の概念図、図１（Ｂ）は中位置にした時の概念図、図１（Ｃ）は最下位置にした時の概念図で、図中、５１は下部固定部（例えば、ベース部４０）から上方に延長して立設された第１のピストン軸で、該第１のピストン軸５１の上端には第１のピストン５２が一体的に設けられており、該第１のピストン５２は第１のシリンダ５３内に液密に係合されており、第１のシリンダ室５４内に液体が圧入されると、該第１のシリンダ５３は上方に移動して図１（Ａ）に示した状態になる。一方、座部１３には、該座部１３から下方に延長する第２のピストン軸６１が設けられ、該第２のピストン軸の下部には第２のピストン６２が一体的に設けられており、該第２のピストン６２は第２のシリンダ６３内に液密に係合されている。この第２のシリンダ６２は前記第１のシリンダ６３と並列に一体的に連結されており、従って、この第２のシリンダ６３の第２のシリンダ室６４内に液体が圧入されると、該第２のピストン６２が押し上げられて図１（Ａ）に示す状態になる。この状態で、つまり、第１のシリンダ５３と第２のシリンダ６３の両方に液体が最大に圧入された状態で座部１３は一番高い位置となる。
【００１２】
この図１（Ａ）に示した状態で、例えば、第１のシリンダ５３内の液体を減少させると、図１（Ｂ）に示すように、第１のシリンダ５３が下降し、該第１のシリンダ５３と一体の第２のシリンダ６３も一緒に下降し、従って、座部１３が下降し、該座部１３は中間の高さ位置を保つことができる。この場合、シリンダ５３のシリンダ室５４から抜き去る液体の量を調整することにより、該座部１３の高さは、図１（Ａ）に示した高さ位置と図１（Ｂ）に示した高さ位置の間の任意の高さ位置に調整することができる。
【００１３】
更に、図１（Ｃ）に示すように、第２のシリンダ６３のシリンダ室６４内の液体を減少させると、第２のピストン６２が下降し、従って、座部１３が下降し、該座部１３を最下降位置にすることができる。この場合も、第２のシリンダ室６４内から抜き去る液体の量を調整することにより、座部１３の高さ位置を図１（Ｂ）に示した高さ位置と図１（Ｃ）に示した高さ位置の間の任意の高さ位置に調整することができる。なお、以上には、説明を簡明にするために、第１のピストン・シリンダを作動させた後に、第２のピストン・シリンダを作動させる例について説明したが、第２のピストン・シリンダを作動させた後に、第１のピストン・シリンダを作動させてもよく、更には、両者を同時に作動させてもよいことは容易に理解されよう。更に、第１のシリンダ５３の長さと第２のシリンダ６３の長さを等しくした例について説明したが、必ずしも同一長さにする必要はない。
【００１４】
図２は、図１に示したピストン・シリンダを作動する液体（油圧）回路の構成例を説明するための図で、７０は油圧モータ、８０は第１の３方電磁弁、８１は第１の流量弁、９０は第２の３方電磁弁、９１は第２の流量弁、１００は排油タンクで、前述のように、第１及び第２の３方電磁弁８０、９０を同時に開いて、第１及び第２のピストン・シリンダを同時に作動させることも可能であり、いずれか一方を選択的に作動させることも可能である。その際、流量弁８１，９１によってそれぞれのピストン・シリンダの動作速度を変えることによって、座部１３の昇降時の速度を種々に変えることができるようになり、座面の高さ合わせが容易になるうえに、始動時、停止時の振動を緩和することが出来る。なお、油圧回路の流量制御ではサーボ弁を使用する方法もあるが、本発明によると３方弁を使用する場合は、サーボ弁を使用する場合と比べ、上昇・下降時の細かい速度調整が出来ない。しかし、（１）複雑な電子制御がいらない、（２）使用する弁が安価で手に入る、といった利点がある。なお、以上には、液量制御に３方電磁弁や流量弁を用いた例について説明したが、これらは、単に好ましい例を説明したに過ぎず、本発明は、これら図示例のものに限定されるものではない。
【図面の簡単な説明】
【００１５】
【図１】本発明による治療椅子の昇降動作を説明するための要部構成図である。
【図２】図１に示したピストン・シリンダを作動する液体（油圧）回路の構成例を説明するための図である。
【図３】従来の歯科治療椅子の一例を説明するための要部概略斜視図である。
【符号の説明】
【００１６】
１１…安頭台、１２…バックレスト、１３…コンターシート（座部）、１４…レッグレスト、１５…レッグレスト、２０…移動基台部、３０…固定基台部、４０…ベース部材、５１…第１のピストン軸、５２…第１のピストン、５３…第１のシリンダ、５４…第１のシリンダ室、６１…第２のピストン軸、６２…第２のピストン、６３…第２のシリンダ、６４…第２のシリンダ室、７０…油圧モータ、８０…第１の３方電磁弁、８１…第１の流量弁、９０…第２の３方電磁弁、９１…第２の流量弁、１００…排油タンク。
【図１】
2008295788.tif 000003
【図２】
2008295788.tif 000004
【図３】
2008295788.tif 000005